(57)【特許請求の範囲】
【請求項１】
音声を出力する音声出力手段と、
前記音声出力手段に音声データまたは当該音声データの一部である音声データ部分に対応する音声信号を出力する音声出力制御手段と、
前記音声データと、当該音声データ中の任意に定められた複数の音声データ部分に対応する時間軸上の夫々のデータ開始位置とデータ終了位置を表す位置情報と、当該音声データ部分が再生済みであるか未再生であるかを示す再生状態情報とを記録する記録手段と、
前記複数の音声データ部分に対応する音声信号のみを消去する消去モードを設定する消去モード設定手段と、
前記位置情報を付された音声データ部分の再生状態情報を、該位置情報毎に順次表示する表示手段と、
前記表示手段に表示された前記位置情報に基づいて、前記音声データ部分から消去対象とする音声データ部分を選択する選択手段と、
前記消去モードが設定された状態で、再生済みの音声データ部分について前記選択手段により消去対象として選択された場合には消去する消去手段と、
前記記録手段に記録されている未再生を示す再生状態情報を、再生済みを示す再生状態情報に変更する変更手段を備えることを特徴とする録音再生装置。
【請求項２】
前記再生状態情報を前記記録手段に記録する再生状態記録手段をさらに備えることを特徴とする請求項１に記載の録音再生装置。
【請求項３】
前記再生状態記録手段は、前記未再生の音声データ部分に対応する音声が再生された場合には、前記記録手段に当該音声データ部分に対応する再生状態情報を再生済みであるとして記録することを特徴とする請求項２に記載の録音再生装置。
【発明の詳細な説明】
【技術分野】
【０００１】
本発明は、録音再生装置に係り、特に音声データの時間軸上の任意の位置にデータの区切り（以下、インデックスという。）を書き込む機能を持つ録音再生装置に関する。
【背景技術】
【０００２】
従来の録音再生装置、例えばＩＣレコーダにおいては、会議やセミナーなどで、ユーザが録音途中に、音声データのうち所望の任意の位置にインデックスを書き込むものがある。そして、この録音再生装置は、再生時に、この書き込んだインデックスに基づいて音声データのうちユーザが再生を望む部分を検索し、検索した部分の音声データのみを限定的に再生することができるものがある。
【特許文献１】特開平８−２５５４６６号公報
【発明の開示】
【発明が解決しようとする課題】
【０００３】
このような録音再生装置において、ユーザが録音した音声データの全てを一度に聞くことができない場合には、必要と思われる音声データのみを優先的に再生することにより短時間で録音内容の概要を把握すると共に、その後、既に再生した部分を飛び越して残り部分の音声データのみ再生すること（再生済み部分の飛び越し再生）により、録音した音声データの全てを重複せずに漏れなく聞くことを希望する場合がある。従来の録音再生装置では、インデックスに基づいてインデックスが書き込まれている位置を順に頭出ししながら再生することで、再生を希望する部分を探し出すことは可能であった。しかしながら、インデックスで特定される各音声データ部分が再生済みか否かは、ユーザの記憶に委ねられ、未再生の音声データ部分のみを的確に選択して再生することはできなかった。
【０００４】
また、未再生の音声データ部分を残しつつ、録音再生装置における音声データの記録可能領域を増やすため、不要となった再生済みの音声データ部分を選択的に削除したい場合がある。この場合においても、インデックスで特定される各音声データ部分が再生済みか未再生か特定できないため、不要となった再生済の音声データ部分のみを的確に選択して削除することはできなかった。
【０００５】
本発明は、このような問題に鑑みてなされたもので、録音後の再生時において再生済みの音声データ部分の飛び越し再生をすることが可能で、また、再生済みの音声データのうちユーザが不要と判断した部分を選択的に削除することが可能な録音再生装置を提供することを目的とする。
【課題を解決するための手段】
【０００７】
請求項１に記載の録音再生装置は、音声を出力する音声出力手段と、音声出力手段に音声データまたは当該音声データの一部である音声データ部分に対応する音声信号を出力する音声出力制御手段と、音声データと、当該音声データ中の任意に定められた複数の音声データ部分に対応する時間軸上の夫々のデータ開始位置とデータ終了位置を表す位置情報と、当該音声データ部分が再生済みであるか未再生であるかを示す再生状態情報とを記録する記録手段と、複数の音声データ部分に対応する音声信号のみを消去する消去モードを設定する消去モード設定手段と、位置情報を付された音声データ部分の再生状態情報を、該位置情報毎に順次表示する表示手段と、表示手段に表示された位置情報に基づいて、音声データ部分から消去対象とする音声データ部分を選択する選択手段と、消去モードが設定された状態で、再生済みの音声データ部分について選択手段により消去対象として選択された場合には消去する消去手段と、記録手段に記録されている未再生を示す再生状態情報を、再生済みを示す再生状態情報に変更する変更手段を備えることを特徴とする。
【０００８】
請求項２に記載の発明は、請求項１に記載の録音再生装置において、再生状態情報を前記記録手段に記録する再生状態記録手段を備えることを特徴とする。
【０００９】
請求項３に記載の発明は、請求項２に記載の録音再生装置において、前記再生状態記録手段は、未再生の音声データ部分に対応する音声が再生された場合には、前記記録手段に当該音声データ部分に対応する再生状態情報を再生済みであるとして記録することを特徴とする。
【発明の効果】
【００１１】
本発明の録音再生装置によれば、記録手段に記録された再生状態情報によって、再生済みの音声データ部分についても特定することができる。従って、ユーザが録音した音声データの全てを重複せずに漏れなく聞くことを希望する場合に、再生済みの音声データ部分の特定はユーザの記憶に委ねる必要はなく、再生済みの音声データ部分のみを飛び越して再生することができる。
【００１２】
また、本発明の録音再生装置によれば、記録手段に記録した再生状態情報によって、再生済みの音声データ部分についても特定することができるので、不要となった再生済みの音声データ部分のみを的確に選択して削除することができる。従って、未再生の音声データ部分のみ残しつつ、新たに音声データを記録できる領域を増やすことができる。
【００１３】
さらに、本発明の録音再生装置によれば、たとえ任意の音声データ部分が未再生であったとしても、ユーザが当該音声データ部分の再生を希望しない場合には、ユーザが入力手段を用いて、記録手段に当該音声データ部分の再生状態が再生済みである旨を書き込むことにより、後に当該音声データ部分を飛び越して再生すること、又は消去をすることができる。
【発明を実施するための最良の形態】
【００１４】
図１は、本発明の一実施例であるＩＣレコーダの概略構成を示すブロック図である。
【００１５】
制御部１は、操作部２のユーザによる操作に応じて、エンコード／デコードＩＣ３とメモリ４間の音声データに対応するデジタル音声信号の入出力の制御、エンコード／デコードＩＣ３におけるエンコード処理又はデコード処理の制御、表示部５への音声データに関する情報の出力、操作部２からの制御信号の入力を行う。
【００１６】
また、この制御部１は、スピーカ１０へ、又はヘッドフォン１１が接続される接続端子１３への音声データに対応するアナログ音声信号の出力を制御する音声出力制御手段として機能する音声出力制御回路１a、音声データに対応するアナログ音声信号（マイク部８から入力されるアナログ音声信号、チューナ１２から入力されるアナログ音声信号、外部入力端子１４から入力されるアナログ音声信号）がＡ／Ｄコンバータ６により変換された後のデジタル音声信号のメモリ４への記録を制御する録音制御回路１b、メモリ４に記録された再生状態情報に基づいて、音声データ部分が未再生又は再生済みのどちらの再生状態であるのかを判別する再生状態判別手段として機能する再生状態判別回路１c、音声データ部分が再生済みであるか否かを示す再生状態情報をメモリ４に記録する再生状態記録手段として機能する再生状態記録回路１d、音声データを全部又は部分的に削除する音声データ削除手段として機能する音声データ削除回路１eを備える。
【００１７】
マイク部８は、外部の音声を入力し、この音声をＡ／Ｄコンバータ６にアナログ音声信号として出力するものである。
【００１８】
チューナ１２は、ＦＭ放送などのアナログ音声信号を受信するものであり、ヘッドフォン１１のコードをアンテナとして使用して受信したＦＭ放送などのアナログ音声信号をＡ／Ｄコンバータ６に出力する。
【００１９】
外部入力端子１４は、外部マイク等との接続により、外部の音声を入力し、Ａ／Ｄコンバータ６にアナログ音声信号として出力するものである。
【００２０】
Ａ／Ｄコンバータ６は、アナログ音声信号をデジタル音声信号に変換するものであり、マイク部８、外部接続端子１４、チューナ１２のいずれかから入力したアナログ音声信号をデジタル音声信号に変換後、エンコード／デコードＩＣ３に出力する。
【００２１】
エンコード／デコードＩＣ３は、デジタル音声信号の圧縮及び伸張を行うものであり、制御部１の制御によって、Ａ／Ｄコンバータ６から入力したデジタル音声信号を圧縮後、メモリ４又はＤ／Ａコンバータ７に出力する。また、制御部１の制御によって、メモリ４から出力されたデジタル音声信号を入力し、圧縮されたデジタル音声信号を伸張後、Ｄ／Ａコンバータ７に出力する。
【００２２】
メモリ４は、音声データに対応するデジタル音声信号を記録する記録手段として機能し、制御部１の制御によって、エンコード／デコードＩＣ３から圧縮して出力された当該デジタル音声信号の記録、記録した圧縮されたデジタル音声信号のエンコード／デコードＩＣ３への出力を行う。また、メモリ４は、前記音声データの時間軸上の位置を表す位置情報としてのインデックスと、当該インデックスで特定される音声データ部分が再生済みであるか否かを示す再生状態情報の記録を行う。
【００２３】
Ｄ／Ａコンバータ７は、デジタル音声信号をアナログ音声信号に変換するものであり、エンコード／デコードＩＣ３から入力したデジタル音声信号をアナログ音声信号に変換し後、オーディオアンプ９に出力する。
【００２４】
オーディオアンプ９は、アナログ音声信号を増幅するものであり、Ｄ／Ａコンバータ７で変換されたアナログ音声信号を増幅後、当該増幅したアナログ音声信号をスピーカ１０又は接続端子１３に出力する。
【００２５】
スピーカ１０は、音声出力手段として機能し、オーディオアンプ９において増幅されたアナログ音声信号を音声として出力するものである。
【００２６】
ヘッドフォン１１は、スピーカ１０と同様に、音声出力手段として機能し、オーディオアンプ９において増幅されたアナログ音声信号を音声として出力するものである。尚、ヘッドフォン１１はイヤホンであっても良い。
【００２７】
操作部２は、入力手段として機能し、ユーザによる図示しないキーやボタンの押下によって制御部１へ制御信号を出力することにより、ユーザが所望するＩＣレコーダの動作制御を可能にするものである。また、操作部２は、前記再生状態記録回路１dが記録する再生状態情報の入力に用いられ、この再生状態情報の入力は、ユーザにより「再生済み」又は「未再生」のどちらか一方が選択されることにより行われる。
【００２８】
表示部５は、再生状態情報などの音声データに関する情報を表示するものである。
【００２９】
図２は、図１に示すＩＣレコーダを構成するメモリ４を構成する、音声データ領域とインデックスデータ領域とから成るフォーマットのうち、音声データ領域部分のみを示した図である。
【００３０】
本実施例におけるメモリ４を構成するインデックス領域にあるインデックスは音声データ領域にある音声データの時間軸上の位置を表すものであり、対応する当該音声データ部分とリンクしている。そして、制御部１によって、録音時には、制御部１によりユーザが再生を希望する音声データ部分に対応するインデックスがインデックスデータ領域に書き込まれ、再生時には、このインデックスを読み込まれ、対応する音声データ部分を再生することができる。
【００３１】
このインデックスに対応する音声データ部分の再生は、制御部１が図示しないインデックスデータ領域に書き込まれたインデックスの始点と終点に対応する音声データの位置（後述するインデックス位置絶対バイト数で示される）を読み込んだ後、音声出力制御回路１aがこの始点と終点に挟まれた領域の音声データ部分を再生することによって行う。
【００３２】
次に、再生時における、インデックスに対応する音声データ部分の再生状態情報について説明する。
【００３３】
インデックスデータ領域には、図３に示すように、制御部１（再生状態記録回路１aを含む）によって、録音時に音声データの時間軸上の任意の位置（インデックス位置絶対バイト数（音声データの先頭からのバイト数）で示される。）に付された音声データ部分に対応する各インデックス番号と、この各インデックス番号に対応する音声データ部分の再生状態情報とが書き込まれる。ここで、再生状態情報とは音声データ部分が未再生であるか、又は再生済みであるかについての情報であり、この再生状態情報の書き込みは、再生状態記録回路１eがインデックスデータ領域に未再生は「０」、再生済みは「１」をインデックス番号毎に記録することによって行う。例えば、図３の変化Ａは、Ｎｏ.１のインデックスに対応する音声データ部分を再生した後における当該音声データ部分の再生状態情報の変化を示しており、再生後は、Ｎo.１のインデックス番号に対応する再生状態情報は、再生状態記録回路１eにより「０」から「１」に書き替えられている。また、図３の変化Ｂは、Ｎo.１のインデックスに対応する音声データ部分を再生した後に、更にＮｏ.２のインデックスに対応する音声データ部分を再生した後における当該音声データ部分の再生状態情報の変化を示しており、再生後は、Ｎo.１とＮｏ.２のインデックス番号に対応する音声データ部分の再生状態情報は共に、再生状態記録回路１eにより「１」に書き替えられている。また、例えばＮｏ.１のインデックスに対応する音声データ部分の再生が、この音声データ部分の終点まで行われず途中で停止した場合には、このＮｏ.１のインデックスに対応する再生状態情報として再生済み「１」に書き替えず、再生状態は未再生「０」のままである。ここで、再生には早送り再生も含まれる。
【００３４】
尚、本発明を実施するための最良の形態においては、再生状態記録回路１eは再生状態情報としてインデックスデータ領域に未再生「０」、再生済み「１」をインデックス番号毎に記録しており、この記録された再生状態情報に基づいてを再生状態判別回路１cが再生状態を判別する構成を採用しているが、本発明は、これに限らず、再生状態記録回路１eはインデックスデータ領域に未再生「０」、再生済み「１」のうちどちらか一方の再生状態情報のみをインデックス番号毎に記録し、この記録された一方の再生状態情報の有無により再生状態判別回路１cが再生状態を判別する構成を採用してもよい。
【実施例１】
【００３５】
図４は、図１に示すＩＣレコーダにおける制御部１の再生済みの音声データ部分の飛び越し再生を行う機能に関する動作を示すフローチャートである。
【００３６】
飛び越し再生モードの設定は、操作部２に設けられた図示しない再生モードキーをユーザが押下することによってインデックス再生モードに設定した後、このインデックス再生モードにおいて、録音中にインデックスを書き込んだ部分に対応する音声データ部分のみ再生するインデックス再生モードと、録音中にインデックスを書き込んだ部分に対応する音声データ部分の中から更に再生済み部分の飛び越し再生をも行う飛び越し再生モードの２つのモードから、飛び越し再生モードを選択することによって行う。
【００３７】
初めに、ユーザにより飛び越し再生モードが設定され、操作部２に図示しない再生ボタンがユーザによって押下されると（Ｓ１）、音声出力制御回路１aの制御により録音した音声データの再生動作を開始する（Ｓ２）。そして、制御部１はインデックスを読み込み（Ｓ３）、インデックスの番号を初期化（例えば初期値１）にする（Ｓ４）。次に、制御部１はインデックスをチェックして（Ｓ５）、再生状態判別回路１eがこのインデックスに対応する音声データ部分の再生状態情報（未再生「０」／再生済み「１」）を確認する（Ｓ６）。その結果、未再生の音声データ部分の場合には、音声出力制御回路１aの制御によりその音声データ部分の再生を開始する（Ｓ７）。再生が終了すると（Ｓ８）、再生状態記録回路１dがこの再生が終了した音声データ部分に対応するインデックスデータ領域に書き込まれた再生状態情報を再生済み「１」に書き替える（Ｓ９）。次に、制御部１はこの再生状態情報が書き替えられたインデック番号（ｎ）の次のインデックス番号（ｎ＋１）についてのインデックスを読み込む（Ｓ１０）。このＳＴＥＰ５からＳＴＥＰ１０の行程を繰り返し、最後のインデックスに対応する音声データ部分の再生及び再生状態情報の書き替えが終了すると（Ｓ１１）、インデックスに対応する音声データ部分のうち未再生の音声データ部分の再生が終了する。
【００３８】
本実施例に係る発明によれば、メモリ４のインデックスデータ領域に記録した再生状態情報に基づいて、再生状態判別回路１eが音声データ部分の再生状態を判別することによって、音声データのうち再生済みの部分についても特定することができるので、再生済みの音声データ部分のみを飛び越して再生することができる。
【実施例２】
【００３９】
図５は、図１に示すＩＣレコーダにおける制御部１の再生済みの音声データ部分を選択的に削除する動作を示すフローチャートである。
【００４０】
初めに、操作部２の図示しない消去ボタンをユーザが押下して（Ｓ１）、インデックス消去モードを選択すると（Ｓ２）、制御部１がインデックスを読み込み（Ｓ３）、インデックスの番号を初期化（例えば初期値１）にする（Ｓ４）。次に、制御部１がインデックスをチェックして（Ｓ５）、再生状態判別回路１cがこのインデックスに対応する音声データ部分の再生状態情報（未再生「０」、再生済み「１」）を確認し（Ｓ６）、制御部１がこの音声データ部分の再生状態情報（未再生「０」／再生済み「１」）をこの音声データ部分に対応するインデックス番号毎に表示部５に表示する（Ｓ７）。ここで、表示される再生状態情報が再生済み「１」であって、ユーザがこの再生済みの音声データ部分の消去を希望する場合には（Ｓ８）、ユーザによる消去ボタンの再度の押下により、音声データ削除回路１aがその音声データ部分を削除する（Ｓ９）。次に、制御部１はこの削除した音声データ部分に対応するインデックスデータ番号（ｎ）の次のインデックス番号（ｎ＋１）についてのインデックスを読み込む（Ｓ１０）。このＳＴＥＰ３からＳＴＥＰ９の行程を繰り返し、最後のインデックスに対応する音声データ部分の上記確認及び削除が終了すると（Ｓ１１）、インデックスに対応する音声データ部分のうち再生済みの音声データ部分の削除が終了する。尚、ユーザによる再生済みの音声データ部分の消去を希望するか否かについての判断は、再生済みの音声データ部分を最初の５秒程度を再生することによって、録音内容を確認してから行うことができる。
【００４１】
本実施例に係る発明によれば、メモリ４のインデックスデータ領域に記録した再生状態情報に基づいて、再生状態判別回路１eが音声データ部分の再生状態を判別することによって、インデックスに対応する音声データ部分のうち再生済みの音声データ部分について特定することができるので、音声データ削除回路１eにより不要となった再生済みの音声データ部分のみを的確に選択して削除することができる。これにより、必要な音声データ部分のみ残しつつ、新たに音声データを記録できる領域を増やすことができる。
【実施例３】
【００４２】
図６は、図１に示すＩＣレコーダにおける制御部１の音声データ部分の再生状態情報の書き替え機能に関する動作を示すフローチャートである。
【００４３】
初めに、操作部２の図示しない再生状態表示モードキーをユーザが押下して（１）、再生状態表示モードが設定されると（Ｓ２）、制御部１がインデックスを読み込み（Ｓ３）、インデックスの番号を初期化（例えば初期値１）にする（Ｓ４）。次に、制御部１がインデックスをチェックして（Ｓ５）、再生状態判別回路１cがこのインデックスに対応する音声データ部分の再生状態情報（未再生「０」／再生済み「１」）を確認し（Ｓ６）、制御部１がこの音声データ部分の再生状態（未再生「０」／再生済み「１」）をこの音声データ部分に対応するインデックス番号毎に表示部５に表示する（Ｓ７）。ここで、未再生「０」の音声データ部分であっても、後にこの未再生の音声データ部分の飛び越し再生又は削除をユーザが希望する場合には（Ｓ８）、ユーザによる図示しない再生済みボタンの押下によって、この未再生の音声データ部分に対応するインデックスデータ領域に書き込まれた再生状態情報を再生済み「１」に書き替える（Ｓ９）。次に、制御部１はこの再生済み情報「１」に書き替えたインデックス番号（ｎ）の次のインデックス番号(ｎ＋１)についてのインデックスを読み込む（Ｓ１０）。このＳＴＥＰ５からＳＴＥＰ１０の行程を繰り返し、最後のインデックスの再生状態情報の書き替えが終了すると（ＳＴＥＰ１１）、ユーザによる図示しない再生終了ボタンの押下によって（Ｓ１２）、インデックスデータ領域への再生状態情報の書き替えが終了する。尚、ユーザによる、未再生「０」の音声データ部分であっても、後にこの未再生の音声データ部分の飛び越し再生又は削除を行うべきか否かについての判断は、未再生「０」の音声データ部分を最初の５秒程度を再生することによって、録音内容を確認してから行うことができる。
【００４４】
本実施例に係る発明によれば、たとえ音声データ部分が未再生であったとしても、ユーザが当該音声データ部分の再生を希望しない場合には、ユーザによる再生済みボタンの押下により、再生状態記録回路１dが当該音声データ部分に対応するインデックスデータ領域に書き込まれた再生状態情報を再生済み「１」に書き替えることにより、後に当該音声データ部分を飛び越して再生すること、又は消去をすることができる。
【００４５】
尚、本発明を実施するための最良の形態においては、音声データのうち録音時にユーザが再生を希望する部分に書き込まれたインデックスに対応させて、インインデックス毎の再生状態情報（再生済み／未再生）をインデックスデータ領域に書き込む構成を採用しているが、本発明は、この録音時に書き込んだインデックスに対応させる場合に限られない。即ち、録音した音声データ全体を対象に再生状態を判別して、この判別された再生状態をインデックスデータ領域に書き込む構成を採用してもよい。
【図面の簡単な説明】
【００４６】
【図１】本発明の一実施例であるＩＣレコーダの概略構成を示すブロック図である。
【図２】図１に示すＩＣレコーダを構成するメモリ４を構成する、音声データ領域とインデックスデータ領域とから成るフォーマットのうち、音声データ領域部分のみを示した図である。
【図３】インデックス番号と、音声データにおけるインデックスの位置を示すインデックス位置絶対バイト数と、再生状態の関係を示す図である。
【図４】図１に示すＩＣレコーダにおける制御部１の再生済みの音声データ部分の飛び越し再生を行う機能に関する動作を示すフローチャートである。
【図５】図１に示すＩＣレコーダにおける制御部１の再生済みの音声データ部分を選択的に削除する動作を示すフローチャートである。
【図６】図１に示すＩＣレコーダにおける制御部１の音声データの再生状態情報の書き替え機能に関する動作を示すフローチャートである。
【符号の説明】
【００４７】
１a  音声出力制御回路
１c  再生状態判別回路
１d  再生状態記録回路
１e  音声データ削除回路
２  操作部
４  メモリ
１０  スピーカ
１１  ヘッドフォン
【図１】
0004716675.tif 000002
【図２】
0004716675.tif 000003
【図３】
0004716675.tif 000004
【図４】
0004716675.tif 000005
【図５】
0004716675.tif 000006
【図６】
0004716675.tif 000007